(57)【要約】【課題】ピッキング困難で、製作容易なディスクタンブラ型シリンダ錠の提供。【解決手段】外筒１、内筒２、複数のディスクタンブラ３及びバネ４を備えるディスクタンブラ型シリンダ錠であって、内筒の軸柱を第１の半円形軸柱２０ａ及び第２の半円形軸柱２０ｂを合わせて嵌合固定する一体構造とする。  第１の半円形軸柱２０ａ前後に端部キャップ２２及び駆動部２３を設け、それらの中間に切欠部２０１を形成して第２の半円形軸柱２０ｂを嵌合固定する。  第１及び第２の半円形軸柱の相対する面には、径方向にそれぞれ相対応するＵ字形溝を設けてディスクタンブラ３及びスプリング４を配置し、鍵孔２１に挿入した鍵により操作する公知の構成において、軸柱２０中心の鍵穴断面は、２つの割型により作製するため、０．５ｍｍ程度の狭い幅で、曲がりくねったジグザグ状断面に形成可能で、鍵は０．５ｍｍ程度の薄い金属板を直接プレス成形して製作可能である。【選択図】図１
0003133647.tif 000002
【実用新案登録請求の範囲】
【請求項１】
外筒、内筒、複数のタンブラ及びバネを備えるディスクタンブラ型シリンダ錠であって、
前記内筒は、軸方向に第１の半円形軸柱及び第２の半円形軸柱に分割して、これらを互いに嵌合固定することにより一体構造となる軸柱により構成し、
前記第１の半円形軸柱のみ前後の端部にそれぞれ端部キャップ及び駆動部を設け、前記端部キャップと前記駆動部との間に前記第２の半円形軸柱を嵌合する切欠部を設け
これら第１の半円形軸柱及び第２の半円形軸柱の内側に、径方向にそれぞれ相対応する１つ以上のＵ字形溝を形成して、前記記第１、第２の半円形軸柱を嵌合一体化した状態で前記タンブラを収容する径方向の長方形の孔を形成する、
ことを特徴とするディスクタンブラ型シリンダ錠。
【請求項２】
前記第１の半円形軸柱は、長方形溝、複数の突柱及び半鍵孔を有し、
前記長方形溝は、前記Ｕ字形溝の中に配置されて前記バネを収容し、
前記複数の突柱は軸柱の軸方向前後にそれぞれ配置され、前記半鍵孔は第２の半円形軸柱の相対する面の中央に形成され、
前記第２の半円形軸柱は、複数の該突柱に嵌合する穴及び上記第１の半円形軸柱に形成した半鍵穴に対応する半鍵孔を有し、
前記タンブラと前記バネを第１の半円形軸柱のＵ字形溝と前記長方形溝に配置し、次いで第１の半円形軸柱を前記第２の半円形軸柱に結合して一体化して前記内筒を構成することを特徴とする請求項１に記載のディスクタンブラ型シリンダ錠。
【請求項３】
前記内筒の軸柱は、それぞれ形状と大きさが同じ前記第１の半円形軸柱及び前記第２の半円形軸柱により構成し、前記各半円形軸柱の先端及び末端にはそれぞれ半円形ほぞを設け、前記端部キャップ及び前記駆動部を別体としてそれぞれこれら半円形ほぞと嵌合する環状体を設けたキャップ及び柱穴を設けた駆動部に嵌合固定して、前記内筒を形成することを特徴とする請求項１に記載のディスクタンブラ型シリンダ錠。
【請求項４】
環状体の内孔は少なくとも内壁の一部を平面としてＤ字形を呈する開口とし、前記環状体の外側に前記平面と平行な穿孔を設け、
前記軸柱の半円形ほぞの外縁上に上記Ｄ字形を呈する開口に対応する平面欠縁を設け、これらを嵌合して前記軸柱に形成した前記２つの半円形ほぞを前記端部キャップと嵌合固定し、ピンを上記穿孔に挿入して固定し、
前記駆動部は、正方形または長方形の前記軸柱内部の端部に柱孔を形成した筒金を設け、前記筒金の柱孔を少なくとも内壁の一部を平面としてＤ字形を呈する開口とし、前記筒金の外側に中心が前記平面と平行な穿孔を設け、
前記軸柱の半円形ほぞの外縁上に上記Ｄ字形を呈する開口に対応する前記平面を設け、これらを嵌合して円形ほぞを前記筒金と嵌合固定し、前記ピンを上記穿孔に挿入して固定したことを特徴とする請求項３に記載のディスクタンブラ型シリンダ錠。
【請求項５】
前記内筒の前記軸柱の前記第１の半円形軸柱及び前記第２の半円形軸柱の内側の径方向に形成した軸方向の前後一組のＵ字形溝の間に、幅が広めの前記長方形溝を設けることにより、前記一組のＵ字形溝の間に、それぞれ前記タンブラを配置すると共に、幅が広めの前記長方形溝内に前記バネを配置して、前記２つのタンブラの共用の前記バネとすることを特徴とする請求項１または３に記載のディスクタンブラ型シリンダ錠。
【請求項６】
前記タンブラは、片側に水平Ｌ字形突起を突設することを特徴とする請求項５に記載のディスクタンブラ型シリンダ錠。
【請求項７】
形状と大きさが同じ前記第１の半円形軸柱、及び前記第２の半円形軸柱の両端にある半前記円形ほぞは半四角形、半長方形、半六角形、半多角形、半楕円形などの形状で、前記端部キャップの前記環状体の前記内孔の形状は、前記駆動部の筒金の前記柱孔の形状と対応して配置されることを特徴とする請求項３に記載のディスクタンブラ型シリンダ錠。
【請求項８】
前記内筒の前記第１の半円形軸柱と前記第２の半円形軸柱とを結合して一体とすることにより、両者共通の中心において前記２つの半鍵孔により前記鍵孔を構成し、幅約０．５ｍｍで、屈曲したジグザグ状の前記鍵孔とすることを特徴とする請求項１または３に記載のディスクタンブラ型シリンダ錠。
【請求項９】
前記駆動部は、正方形または長方形、円形または楕円形などの形状の柱体、または筒形などの柱体であることを特徴とする請求項１または３に記載のディスクタンブラ型シリンダ錠。
【請求項１０】
鍵の鍵山は、幅約０．５ｍｍで、薄い金属板を直接プレス成形して作られることを特徴とする請求項１または３に記載のディスクタンブラ型シリンダ錠。
【考案の詳細な説明】
【技術分野】
【０００１】
本考案は、ディスクタンブラ型シリンダ錠に関し、特にディスクタンブラ及びバネを配置する軸柱を備えるディスクタンブラ型シリンダ錠に関する。
【背景技術】
【０００２】
図１５〜図１８を参照する。図１５は、従来のディスクタンブラ型シリンダ錠を示す斜視図である。図１５に示すように、従来のディスクタンブラ型シリンダ錠は、外筒１ａ、内筒２ａ、ディスクタンブラ３ａ及びバネ４ａからなる。外筒１ａは、軸方向に貫通する筒体１１を有する筒体１０を備える。筒体１１には、軸方向に少なくとも一対の係合溝１２を有する。筒体１１は、先端に端面１３を有する。図１６は、従来のディスクタンブラ型シリンダ錠のディスクタンブラを配置していない状態を示す断面図である。図１６に示すように、内筒２ａは、中心に鍵孔２１を有し、前方の端部に端部キャップ２２を配置し、後方の端部に駆動部２３を配置し、外筒１ａの筒体１１内に、ぴったりと納まる軸柱２０を有する。図１７は、従来のディスクタンブラ型シリンダ錠のディスクタンブラ及びスプリングを配置した状態を示す断面図である。図１８は、図１７で示したディスクタンブラの隣に配置されたもう１つのディスクタンブラ及びスプリングの状態を示す断面図である。図１７及び図１８に示すように、軸柱２０は、径方向に複数の長方形の穿孔２４を有し、長方形の穿孔２４の両側にＣ字形柱孔２５、及びＵ字を呈するＵ字形柱孔２６をそれぞれ有し、複数のディスクタンブラ３ａ及びバネ４ａ配置する。内筒２ａは、ディスクタンブラ３ａ及びバネ４ａの配置後に、外筒１ａの筒体１１内に配置される。ディスクタンブラ３ａの一方の端部は、バネ４ａの弾力により押されて筒体１１内の係合溝１２に入る。これにより、内筒２ａは筒体１１内において、正方向または逆方向に回転自在ではない。同時に、内筒２ａの先端にある端部キャップ２２が筒体１１の先端の端面１３に当接して内筒２ａが筒体１１内にそれ以上入り込むことを防ぐ。また、末端の駆動部２３をロック機構または導電構造に配置したり、接続したりして、鍵が掛かったかどうか、導電しているかどうかなど動作を確認できる。
【０００３】
従来のディスクタンブラ型シリンダ錠のディスクタンブラ３ａは、タンブラ本体３０の中心にディスクタンブラの開口３１を有すると共に、両側に対応するようにバネ４ａを押し上げる側部突起３２及び嵌合突起３３をそれぞれ有する。ディスクタンブラ３ａを内筒２ａの軸柱２０の長方形の穿孔２４内に配置する際には、先にバネ４ａを長方形の穿孔２４の一方の端部にあるＣ字形柱孔２５の中に配置してから、ディスクタンブラ３ａを長方形の穿孔２４内に配置する。組立作業において、ディスクタンブラ３ａのタンブラ本体３０の片側にある側部突起３２は、Ｃ字形柱孔２５に沿ってスムーズに挿入される。タンブラ本体３０の他の端部にこれと対応するように設けられた嵌合突起３３は、同様に長方形の穿孔２４の他の側にあるＣ字形柱孔２６に沿って挿入される。これらの挿入操作において、嵌合突起３３はＣ字形柱孔２５に対応する長方形の穿孔２４の内壁を摩擦しながら長方形の穿孔２４のＵ字形柱孔２６に到達して、図１７及び図１８に示すように、Ｕ字形柱孔２６の底部に嵌合する。このようにして、内筒２ａを外筒１ａの筒体１１内に配置し、ディスクタンブラ型シリンダ錠に組み立てる。
しかしながら、ディスクタンブラ３ａが内筒２ａの軸柱２０の各長方形の穿孔２４内に挿入される時、スムーズに行かず、製作工程に影響を与えてしまう。ディスクタンブラ３ａは各長方形の穿孔２４内への挿入が完了して、タンブラ本体３０の嵌合突起３３がＵ字形柱孔２６の底部に嵌合されても、嵌合突起３３の長さが足りなく、その上バネ４ａの弾力を受け外側に押されるため、ディスクタンブラ３ａが長方形の穿孔２４から外側へ飛び出してしまうことがよく起きる。そのため、内筒２ａを外筒１ａの筒体１１に配置し、ディスクタンブラ型シリンダ錠を組み立てる動作が困難になり、製作工程に影響を与えてしまう。
【０００４】
次に、従来のディスクタンブラ型シリンダ錠の開閉構造であるが、内筒２ａの軸柱２０に配置されたディスクタンブラ３ａが重要である。図２０に示すように、鍵５ａの鍵山５１が挿入しやすいように、軸柱２０は中心に鍵孔２１を有する。ディスクタンブラ３ａが外筒１ａの筒体１１の係合溝１２の一端に位置して、完全に軸柱２０の外径範囲内に納められることにより、鍵の開閉が行なわれる。従来のディスクタンブラ型シリンダ錠の内筒２ａは、アルミニウムと亜鉛の合金材料により金型で一体成形される。軸柱２０の中心に設けられた鍵孔２１は、軸柱２０の内部深くまで伸びているため、幅がかなり狭く、曲がりくねった形状の鍵孔２１を金型により成形することは不可能である。せいぜい幅が１．５ｍｍ以上で、鍵孔開口２１１（図１５参照）にジグザグ状または同様の形状を呈する鍵孔開口２１１を設けるぐらいである。鍵孔開口２１１のやや内側の両側にはそれぞれ三角形の突起２１２が配置される（そのうち１つは端部キャップ２２に覆われて図示されず）。図１９は、従来のディスクタンブラ型シリンダ錠の鍵の鍵山５１を挿入する状態を示す断面図である。図１６及び図１９で示すように、軸柱２０の鍵孔２１内で、かなり幅の広い長方形の形状であり、せいぜい鍵孔２１内の片側に三角形の突起２１２を設けたに過ぎないので、破壊されたり、ピッキングされることがよくある。
【０００５】
図２０は、従来のディスクタンブラ型シリンダ錠の鍵を示す平面図である。図２１は、従来のディスクタンブラ型シリンダ錠の鍵の鍵山５１の断面を示す。また、従来のディスクタンブラ型シリンダ錠の内筒２ａの軸柱２０の鍵孔２１及び鍵孔開口２１１の構造は、かなり幅の広い長方形でジグザグ状であり、鍵孔開口２１１のやや内側の両側には互いに接近した三角形の突起２１２が対応するように配置される。そのため、図１６及び図１９で示すように、鍵５ａの鍵山５１は、かなり厚い金属板により作製されなければならない。鍵５ａは、金属板射出成形法により製作されるが、鍵山５１はさらにフライス盤またはプレナーなどの機械でジグザグ状の断面に加工し、両側はそれぞれ軸方向にＶ字形の溝５１１に加工しなければならない。そのため、製作において非常に不便であり、時間と工程を徒に費やしてしまう。
【特許文献１】特許第３６６４４５５号公報
【考案の開示】
【考案が解決しようとする課題】
【０００６】
本考案の第１の目的は、ディスクタンブラ及びバネを配置する動作、及び幅が狭くて、ジグザグ状に曲がりくねった鍵孔を設ける動作が容易に行なえ、薄い金属板や道具を挿入して破壊されたり、ピッキングされたりすることを防ぐことができる軸柱を備えるディスクタンブラ型シリンダ錠を提供することにある。
本考案の第２の目的は、薄い金属板を直接プレス成形して作成した曲がりくねったジグザグ状の形状を持ち、合鍵が作られにくい鍵山を備えるディスクタンブラ型シリンダ錠を提供することにある。
【課題を解決するための手段】
【０００７】
上述の目的を達成するため、本考案はディスクタンブラ型シリンダ錠の内筒及び鍵を提供する。本考案の第１の目的を達成するため、特にディスクタンブラ型シリンダ錠の内筒の軸柱を第１の半円形軸柱及び第２の半円形軸柱と分けて、互いに嵌合固定する一体構造とした。第１の半円形軸柱だけが前後の端部にそれぞれ端部キャップ及び駆動部を有する。第１の半円形軸柱及び前記第２の半円形軸柱の内側には、径方向にそれぞれ対応する１つ以上のＵ字形溝があり、径方向に長方形の穴があり、ディスクタンブラ及びバネを配置する。ディスクタンブラとバネはまず第１の半円形軸柱のＵ字形溝と長方形溝に配置され、次に第２の半円形軸柱をＵ字形溝に嵌合させ、嵌合により一体となり内筒を構成すると、ディスクタンブラとバネを配置した内筒の軸柱を外筒の軸孔に挿入することが容易になり、ディスクタンブラ型シリンダ錠の組立作業はスムーズで簡単で迅速に行なわれるようになった。
【０００８】
第１の半円形軸柱は、前後の端部にそれぞれ端部キャップ及び駆動部を有する。端部キャップと駆動部との間にある第１の半円形軸柱の内側にＵ字形溝がある。第１の半円形軸柱及び第２の半円形軸柱が金型により成形される時、内側の中心にそれぞれ対応するように、曲がりくねった半鍵孔及び半鍵孔が設けられる。内側の前後にそれぞれ対応するように１つ以上の突柱と穴が設けられる。第２の半円形軸柱は、突柱が穴内に挿入されることにより、第１の半円形軸柱とぴったり結合し一体となり、内筒２を形成する。図４に示すように、第１の半円形軸柱２０ａと第２の半円形軸柱との共通した中心部分には、幅が極めて狭く（０．５ｍｍ程度の幅）、曲がりくねった鍵孔が形成され、薄い金属板や道具を挿入して破壊されたり、ピッキングされたりすることを防ぐことができる。
【０００９】
本考案の内筒の軸柱の中心に設けられた鍵孔は、０．５ｍｍ程度の狭い幅で、断面が曲がりくねったジグザグ状の穴である。本考案の鍵は、鍵山が０．５ｍｍ程度の薄い金属板を直接プレス成形して製作されたもので、手間が掛かったとしても、一方の端部を厚めのプラスチックの鍵の頭で覆うぐらいで、プラスチックの鍵の頭はユーザが手に持ってディスクタンブラ型シリンダ錠の開閉動作を行なう際、扱いやすくするものである。製作において、とても簡単で、合鍵は製作されにくい。
【００１０】
内筒の軸柱は、形状と大きさが同じ２つの半円形軸柱が互いに嵌合固定することにより一体構造となる。２つの半円形軸柱は、それぞれ先端及び末端に半円形ほぞを有する。軸柱にディスクタンブラとバネを配置して、２つの半円形軸柱をそれぞれ端部キャップ及び駆動部に嵌合固定して内筒を形成する。これで、数の異なるディスクタンブラが配置可能な長さの異なる内筒の製作が容易になる。嵌合装置と同じである端部キャップ及び駆動部を利用すると、長さの異なる規格のディスクタンブラ型シリンダ錠を組み立てる際、長さの異なる規格の内筒の製作が容易になる。
【００１１】
形状と大きさが同じ２つの半円形軸柱の内側にある径方向にある一組のＵ字形溝間に、幅が広めの長方形溝を設ける。また、ディスクタンブラのタンブラ本体の片側には水平Ｌ字形突起を突設する。このようにして、２つの半円形軸柱の間の一対のＵ字形溝の間に、それぞれディスクタンブラを配置する際、幅が広めの長方形溝内にバネを配置することにより、２つのディスクタンブラの共用のバネになる。半分のバネのコスト節約になるだけでなく、ピッキング防止の効果がある。
【考案の効果】
【００１２】
本考案のディスクタンブラ型シリンダ錠は、ディスクタンブラとバネを配置した内筒の軸柱を外筒の軸孔に挿入することが容易になり、ディスクタンブラ型シリンダ錠の組立作業はスムーズで簡単で迅速に行なうことがかのうである。ジグザグ状に曲がりくねった鍵孔を設ける動作が容易に行なえ、破壊されたり、ピッキングされたりすることを防ぐことができる。鍵の鍵山は、薄い金属板を直接プレス成形して作成した曲がりくねったジグザグ状の形状を持ち、合鍵が作られにくい。
【考案を実施するための最良の形態】
【００１３】
以下、本考案の実施形態を図面に基づいて説明する。図１は本考案の実施形態によるディスクタンブラ型シリンダ錠を示す斜視図である。図１に示すように、本考案のディスクタンブラ型シリンダ錠は、事実上従来の構造と異なることはなく、同様に外筒１、内筒２、ディスクタンブラ３及びバネ４を備える。外筒１の構造、及び内筒２を収納する方法は、上記の従来のディスクタンブラ型シリンダ錠と同様であるため、説明は割愛する。図２は、本考案の実施形態によるディスクタンブラ型シリンダ錠の内筒を示す斜視図である。図２に示すように、第１の半円形軸柱２０ａ及び第２の半円形軸柱２０ｂは、互いに嵌合固定する一体構造である。ただ、第１の半円形軸柱２０ａのみ、前後の端部にそれぞれ端部キャップ２２及び駆動部２３を有する。端部キャップ２２と駆動部２３との間にある第１の半円形軸柱２０ａの内側には、切欠部２０１があり、これに嵌合して一体構造の軸柱を形成する半円形軸柱２０ｂの嵌合箇所となり、これにより、図１に示すように、内筒２の軸柱２０が組み立てられる。第１の半円形軸柱２０ａ及び第２の半円形軸柱２０ｂの内側には、それぞれ相対応する１つ以上の径方向にＵ字形溝２４ａ及びＵ字形溝２４ｂがあり、ディスクタンブラ３を配置するのに用いられる。第１の半円形軸柱２０ａの各２４ａ内には、バネ４のサイズに合わせた長方形溝２７があり、第１の半円形軸柱２０ａのＵ字形溝２４ａと長方形溝２７にディスクタンブラ３とバネ４を配置、固定するのに用いられる。図１に示すように、第１の半円形軸柱２０ａは第２の半円形軸柱２０ｂと嵌合して一体となる。そして、図５及び図６に示すように、内筒２を外筒１の筒体１１内に挿入してディスクタンブラ型シリンダ錠を構成する。
【００１４】
第１の半円形軸柱２０ａ及び第２の半円形軸柱２０ｂが金型により成形される時、内側の中心にそれぞれ対応するように、曲がりくねった半鍵孔２１ａ及び半鍵孔２１ｂが設けられる。また、図２に示すように、内側の前後にそれぞれ相対応して１つ以上の突柱２８と穴２９（図２では第２の半円形軸柱２０ｂに覆われて見えず、図４参照）が設けられる。図１、図３及び図４に示すように、第２の半円形軸柱２０ｂは、突柱２８が穴２９内に挿入されることにより、第１の半円形軸柱２０ａとぴったり結合して一体となり、内筒２を形成する。図４に示すように、第１の半円形軸柱２０ａと第２の半円形軸柱２０ｂとが相対する中心部分には、幅が極めて狭く（０．５ｍｍ程度の幅）、曲がりくねった鍵孔２１が形成され、薄い金属板や道具を挿入して破壊されたり、ピッキングされたりすることを防ぐことができる。
【００１５】
本考案の内筒２の軸柱２０の中心にある鍵孔２１は、０．５ｍｍ程度の幅で、断面が曲がりくねった形状の穴であるため、図７及び図８に示すように、本考案の鍵５の鍵山５１は、０．５ｍｍ程度の幅で、さらに薄い金属板を直接プレス成形すればよく、手間が掛かったとしても、一方の端部を厚めのプラスチックの鍵の頭５２で覆って成形すればよく、プラスチックの鍵の頭５２はユーザが手に持ってディスクタンブラ型シリンダ錠の開閉動作を行なう際、扱いやすくするものである。フライス盤またはプレナーなどの機械で軸方向に係合溝などを加工したりする必要がない。厚さがかなり薄い鍵山５１を内筒２の軸柱２０の鍵孔２１内に挿入する動作を行いやすくするため、軸柱２０の先端にある端部キャップ２２の中心に長方形の喇叭形をした鍵孔開口２１１を設け、鍵孔２１に誘導してぴったり合わせる。軸柱２０の末端に配置される駆動部２３については、図１及び図２で示したように、正方形または長方形の軸柱２３０以外に、ロック機構や導電構造の駆動構造を組み合わせてもよいし、ボルトまたは円形、楕円形などの形状の柱体、または筒形の柱体（図示せず）などでもよく、錠や導電構造の駆動構造に接続固定しやすければよい。また、本考案のディスクタンブラ３は、内筒２の軸柱２０の軸方向にある長方形の穿孔に嵌合する必要はなく、軸柱２０上に固定されればよく、タンブラ本体３０の中心にディスクタンブラの開口３１、片側に側部突起３２を有する以外、嵌合突起（図２参照）を有する必要がない。
【００１６】
図９及び図１０は、本考案の第２の実施形態による内筒を示す斜視図である。図９及び図１０に示すように、内筒２´の軸柱２０は、それぞれ形状と大きさが同じ第１の半円形軸柱２０´ａ、と第２の半円形軸柱２０´ｂが互いに嵌合固定することにより一体構造となる。形状と大きさが同じ第１の半円形軸柱２０´ａ、と第２の半円形軸柱２０´ｂは、それぞれ先端に半円形ほぞ２０２、末端に半円形ほぞ２０３を備え、それぞれ端部キャップ２２ａ及び駆動部２３に嵌合固定して内筒２´を形成する。半円形ほぞ２０２及び２つの半円形ほぞ２０３は、互いに嵌合固定され一体構造となった形状と大きさが同じ第１の半円形軸柱２０´ａ及びの先端と末端であって、嵌合して円形のほぞを形成したが、端部キャップ２２ａ及び駆動部２３と確実に嵌合固定させて、脱落分離及び勝手に回転しないように、特別に以下の工夫をした。端部キャップ２２ａ及び環状体２２０ａの内孔２２１を、少なくとも１つの内壁が平面突縁２２２によりＤ字形を呈する開口とし、環状体２２０ａ外側に中心が平面突縁２２２と平行な穿孔２２３を有し、半円形ほぞ２０２の外縁上に対応する平面欠縁２０４を有する。以上のように、嵌合して円形のほぞを形成した２つの半円形ほぞ２０２は、端部キャップ２２ａと嵌合固定する。そして、ドリルで穿孔２２３を設けて平面欠縁２０４を有する半円形ほぞ２０２に向けて貫通させる。図１１は、図９の１０−１０´の断面線の状態を示す断面図である。図１１に示すように、ピン６を挿入することでしっかり固定することができる。駆動部２３については、正方形または長方形の軸柱２３０内部の端部に筒金２３１を設け、嵌合して円形のほぞを形成した２つの半円形ほぞ２０３と嵌合固定させ、筒金２３１の柱孔２３４を少なくとも１つの内壁が平面突縁２３２によりＤ字形を呈する開口とし、筒金２３１の外側に中心と平面突縁２３２と平行な穿孔２３３を設けて半円形ほぞ２０３の外縁上に対応する平面欠縁２０４を有する。以上のように、嵌合して円形ほぞを形成した２つに半円形ほぞ２０３は、筒金２３１と嵌合固定する。図１１に示すピン６のように、ピン６ａを挿入することでしっかり固定することができる。
【００１７】
形状と大きさが同じ第１の半円形軸柱２０´ａ、と第２の半円形軸柱２０´ｂの金型による成形方法、半鍵孔２１ａ及び半鍵孔２１ｂと長方形溝２７の構造及び製作方法、突柱２８及び穴２９（図４参照）が嵌合固定することによる一体構造、及び複数のディスクタンブラ３とバネ４を配置する方法など、前記の本考案の第１の実施形態の内筒２の第１の半円形軸柱２０ａ及び第２の半円形軸柱２０ｂと同様であるため、説明は割愛する。形状と大きさが同じ第１の半円形軸柱２０´ａ及び２０´の両端にある半円形ほぞ２０２及び半円形ほぞ２０３は、半円形を呈したほぞ以外に、半四角形または半長方形、半六角形または半多角形、半楕円形などの形状でもよい。端部キャップ２２ａの環状体２２０ａの内孔２２１の形状は、駆動部２３の筒金２３１の柱孔２３４の形状と対応する。また、駆動部２３の正方形または長方形の軸柱２３０の形状はボルトまたは円形、楕円形の柱体など他の形状の柱体、または筒形の柱体（図示せず）であってもよい。
【００１８】
図１２は、本考案の第３の実施形態による内筒の軸柱及び配置されるディスクタンブラ及びバネを示す斜視図である。軸柱２０も、形状と大きさが同じ第１の半円形軸柱２０´ａ、と第２の半円形軸柱２０´ｂを嵌合固定することにより一体構造となる。このさらに好適な実施形態では、形状と大きさが同じ第１の半円形軸柱２０´ａ、と第２の半円形軸柱２０´ｂの内側にある径方向にある１組のＵ字形溝２４ａとＵ字形溝２４ｂの間に、幅が広めの長方形溝２７´を設けるように変更している。また、ディスクタンブラ３のタンブラ本体３０の片側には水平Ｌ字形突起３３を突設するように変更した。このようにして、形状と大きさが同じ第１の半円形軸柱２０´ａ、と第２の半円形軸柱２０´ｂの間の一対のＵ字形溝２４ａとＵ字形溝２４ｂの間に、それぞれディスクタンブラ３を配置する際、幅が広めの長方形溝２７´内にバネ４を配置して、２つのディスクタンブラ３ａ及びディスクタンブラ３ｂ（図１３及び１４を参照）の共用のバネ４とする。この内筒２´の軸柱２０の実施形態は、第１の実施形態の内筒２の軸柱２０にも応用することができる。
【００１９】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【図面の簡単な説明】
【００２０】
【図１】本考案の実施形態によるディスクタンブラ型シリンダ錠を示す斜視図である。
【図２】本考案の実施形態によるディスクタンブラ型シリンダ錠の内筒を示す斜視図である。
【図３】本考案の実施形態によるディスクタンブラ型シリンダ錠のディスクタンブラを配置していない状態、互いに嵌合固定する構造を配置していない状態、及び鍵の鍵山を挿入した状態を示す断面図である。
【図４】本考案の実施形態によるディスクタンブラ型シリンダ錠の互いに嵌合固定する構造を配置した状態を示す平面図である。
【図５】本考案の実施形態によるディスクタンブラ型シリンダ錠にディスクタンブラ及びバネを配置した状態を示す断面図である。
【図６】図５に示した方向に配置されたディスクタンブラの隣の位置に配置されたもう１つのディスクタンブラ及びバネの状態を示す断面図である。
【図７】本考案の実施形態によるディスクタンブラ型シリンダ錠の鍵を示す平面図である。
【図８】本考案の実施形態によるディスクタンブラ型シリンダ錠の鍵の鍵山を示す断面図である。
【図９】本考案の第２の実施形態による内筒を示す斜視図である。
【図１０】本考案の第２の実施形態による内筒を示す斜視図である。
【図１１】図９の１０−１０´の断面線の状態を示す断面図である。
【図１２】本考案の第３の実施形態による内筒の軸柱及び配置されるディスクタンブラ及びバネを示す斜視図である。
【図１３】図１２に示した内筒がディスクタンブラ型シリンダ錠に組み入れられた状態を示す断面図である。
【図１４】図１３の１３−１３´の断面線の状態を示す断面図である。
【図１５】従来のディスクタンブラ型シリンダ錠を示す斜視図である。
【図１６】従来のディスクタンブラ型シリンダ錠のディスクタンブラを配置していない状態を示す断面図である。
【図１７】従来のディスクタンブラ型シリンダ錠のディスクタンブラ及びスプリングを配置した状態を示す断面図である。
【図１８】図１７で示したディスクタンブラの隣に配置されたもう１つのディスクタンブラ及びスプリングの状態を示す断面図である。
【図１９】従来のディスクタンブラ型シリンダ錠の鍵の鍵山を挿入する状態を示す断面図である。
【図２０】従来のディスクタンブラ型シリンダ錠の鍵を示す平面図である。
【図２１】従来のディスクタンブラ型シリンダ錠の鍵の鍵山を示す断面図である。
【符号の説明】
【００２１】
１  外筒
２  内筒
２´  内筒
３  ディスクタンブラ
４  バネ
５  鍵
６  ピン
１０  筒体
１１  軸孔
１２  係合溝
２０  軸柱
２０ａ  第１の半円形軸柱
２０´ａ  形状と大きさが同じ第１の半円形軸柱
２０ｂ  第２の半円形軸柱
２０´ｂ  形状と大きさが同じ第２の半円形軸柱
２１  鍵孔
２１ａ  半鍵孔
２１ｂ  半鍵孔
２２  端部キャップ
２２ａ  端部キャップ
２３  駆動部
２４ａ  Ｕ字形溝
２４ｂ  Ｕ字形溝
２７  長方形溝
２７´  広めの長方形溝
２８  突柱
２９  穴
３０  タンブラ本体
３１  ディスクタンブラの開口
３２  側部突起
３３  水平Ｌ字形突起
５１  鍵山
５２  プラスチックの鍵の頭
２０１  Ｕ字形溝
２０２  半円形ほぞ
２０３  半円形ほぞ
２０４  平面欠縁
２１１  鍵孔開口
２２０ａ  環状体
２２１  内孔
２２２  平面突縁
２２３  穿孔
２３０  正方形または長方形の軸柱
２３１  筒金
２３２  平面突縁
２３３  穿孔
２３４  柱孔
【図１】
0003133647.tif 000003
【図２】
0003133647.tif 000004
【図３】
0003133647.tif 000005
【図４】
0003133647.tif 000006
【図５】
0003133647.tif 000007
【図６】
0003133647.tif 000008
【図７】
0003133647.tif 000009
【図８】
0003133647.tif 000010
【図９】
0003133647.tif 000011
【図１０】
0003133647.tif 000012
【図１１】
0003133647.tif 000013
【図１２】
0003133647.tif 000014
【図１３】
0003133647.tif 000015
【図１４】
0003133647.tif 000016
【図１５】
0003133647.tif 000017
【図１６】
0003133647.tif 000018
【図１７】
0003133647.tif 000019
【図１８】
0003133647.tif 000020
【図１９】
0003133647.tif 000021
【図２０】
0003133647.tif 000022
【図２１】
0003133647.tif 000023